(57)【特許請求の範囲】
【請求項１】
シャフト（５）によって接続された２つのフランジ（８）と反対の極性を持つ２つの磁石が平行または向い合っている偶数の各フランジ（８）に固定された磁石（９）とを含むロータで構成される発電機を備え、この発電機がさらに、前記ロータの軸と平行な軸線を持つ１つまたは複数のコイル（１１Ａ，１１ｂ，１１ｃ）を含むステータを含んでおり、前記１つのコイルまたは前記複数のコイルが磁石（９）を備えた前記２つのフランジ（８）間に挿入され、かつ基板（６）によって支持されている、時計ムーブメントにおいて、前記１つのコイルまたは前記複数のコイルの少なくとも１つを含む前記ステータの少なくとも一部（６，６１）に、前記ロータの前記軸と垂直な平面において前記ロータに対してその位置を調整可能なように、コイルを移動させる手段（１２，１３，１７）が取り付けられ、前記ロータが回転する時前記１つのコイルまたは前記複数のコイルの少なくとも１つの端子間の誘導電圧の振幅を調整できることを特徴とする時計ムーブメント。
【請求項２】
前記少なくとも１つのステータ部分の前記調整された位置を記憶させる手段（１４，１５，１７）を含むことを特徴とする請求項１に記載のムーブメント。
【請求項３】
前記少なくとも１つのステータ部分の前記調整位置を記憶させる前記手段（１４，１５，１７）が、偏心軸の周りに回転可能に取付けられ、前記ステータの側面に押しつけられるローラ（１４）で構成され、前記ローラがその位置を固定するための手段と関連していることを特徴とする請求項２に記載のムーブメント。
【請求項４】
前記少なくとも１つのステータ部分（６１）が、前記少なくとも１つのステータ部分（６１）を前記ロータシャフトに平行な軸線の周りに回転させることができる手段（１２，３３，１７）を含むことを特徴とする請求項１から請求項３のうちのいずれか１項に記載のムーブメント。
【請求項５】
前記少なくとも１つのステータ部分（６１）が、軸線の周りを回転し、ねじのガイドとして機能する縦長の湾曲した穴（２３）を通り抜ける少なくとも１つのねじ（２２）によって案内されることを特徴とする請求項１から請求項３のうちのいずれか１項に記載のムーブメント。
【請求項６】
前記少なくとも１つのステータ部分（６１）が、前記少なくとも１つのステータ部分（６１）をそのシャフト（５）に垂直な平面において前記ロータに対して対して横方向に移動させる手段（１２，３３，１７）を含むことを特徴とする請求項１から請求項３のうちのいずれか１項に記載のムーブメント。
【請求項７】
前記少なくとも１つステータ部分（６１）が、ガイドとして使用したねじ（１２）が通る複数の縦長の直線状の穴を含むことを特徴とする請求項５に記載のムーブメント。
【発明の詳細な説明】
【０００１】
【発明の属する技術分野】
本発明は、特に腕時計用の発電機を備えた時計ムーブメントに関する。
【０００２】
【従来の技術】
電池または蓄電池の使用はすべての用途において機器の形状を制限する要因となり、特に時計においてそうである。実際、電池または蓄電池の交換または充電は腕時計の有用性や信頼性に影響する。
【０００３】
これに関連して、従来の機械式時計は時計製作のノウハウにおいて、例えば時計が永久的に使用できるというような、ある程度の利点を有する。純粋に機械的な動力の再装填は、時計機構を巻直すことによって簡単に達成される。
【０００４】
このタイプの時計は、普通「スイス式レバーエスケープ」と呼ばれる制御装置に一般的に結合されている手動または自動の巻き装置を使用する。この制御装置では高レベルの精度を得ることは難しい。また、このシステムは比較的高価である。
【０００５】
多くを占める他のタイプは通常のクウォーツ時計に関する。電池が電気モータとモータの作動を制御する装置に同時に動力を供給する。モータの回転はクウォーツから与えられる公称周波数によって駆動／制御される。これは時間表示については高レベルの精度を備える。しかしながら、この装置は秒ホイールの前方向の動きが断続的なので相対的に音がうるさく、また定期的に電池を交換しなくてはならない。
【０００６】
新しいタイプの時計は、前述の２つのシステムを組み合わせ、それらのそれぞれの利点を生かしてきた。これらの構造においては、機械的動力の蓄積がクウォーツ制御と関連づけられ、動力蓄積ばねに結合された機械的部分で駆動される発電機によって電力を供給されている。
【０００７】
スイス計時協会発行の「ＳＳＣ  ｓｔｕｄｙ  ｄａｙｓ １９９７」の５５ページから６３ページに記載されているＭＭ  Ｂｏｒｎ，Ｄｉｎｇｅｒ及びＦａｒｉｎｅによる「サルト−クウォーツムーブメントの精度を備えた自動巻き機械ムーブメント」の記事は、前記技術に対応するものとして引用できる。
【０００８】
この従来技術による発電機の配置が、ここに添付する図１に示されており、この図１は部分的に組立てられた時計ムーブメントの平面図を示しており、また添付の図２に図１の横断面が示されている。この発電機は２つのフランジ８を備えたロータを含む。そのフランジは、ステータを構成しロータ軸に対して互いに１２０度づつオフセットしている３つの平坦なコイル１１の両側にコイルの平面と平行な面に配置されている。
【０００９】
６つの磁石９が放射状に、かつ一定の間隔で、各フランジ８のコイル１１に向い合う面に固定されている。２つの平行または向い合っている磁石９は反対の極性を持つ。印刷回路６はプレート４に固定されており、コイル１１を支持するために使用される。
【００１０】
低消費電力の電気回路１０は発電機によって動力を供給され、発電機はロータ５、フランジ８、磁石９およびコイル１１からなるシャフト組立体によって構成され、連鎖接続３を介してバレル装置２により駆動される。したがって、バレル２に蓄えられた機械的動力がロータを駆動する。磁石９がコイル１１の近くを通過することで、コイル１１の端子に実質的に正弦波の誘導電圧を発生する。
【００１１】
コイル１１によって供給される電圧は実質的に正弦波である。制御装置の作動には整流電圧が必要である。電子制御回路１０に電力を供給するために使用されるコイル１１の端子間の電圧は、電気整流器回路を通って流れる。次いで、電圧は例えば整流器の出力電圧を４倍にするような増幅器段階を通過する。
【００１２】
時計ムーブメントは一般にサイズが小さいので、製造や取り付けの不正確さが整流器回路の出力電圧の安定性に影響することは避けられない。増幅器段階では電圧変動を同じ大きさレベルで増幅する。したがって、全てのムーブメントに対して十分な整流電圧を１つの発電機から得るために、整流電圧の最小値を増大させて十分な誤差余裕が保たれる。
【００１３】
整流電圧における誤差余裕が高ければ高いほど、通常の作動に必要な最小電圧が高くなり、このことは制御回路内の高い電力消費とバレル機構２の２回の巻上げ動作の間の時計の自律性を減少させるという結果をもたらす。
【００１４】
【発明が解決しようとする課題】
本発明の目的はこの欠点を克服することである。
【００１５】
【課題を解決するための手段】
それ故、本発明は、シャフトによって接続された２つのフランジと反対の極性を持つ２つの磁石が平行または向い合っている偶数の各フランジに固定された磁石とを含むロータを有する発電機を備えた時計ムーブメントに関する。この発電機はさらに、ロータの軸と平行な軸線を持つ１つまたは複数のコイルを含むステータを含んでおり、この１つまたは複数のコイルが磁石を備えた２つのフランジ間に挿入され、また基板によって支持されている。このムーブメントは、上記１つのコイルまたは上記複数コイルの少なくとも１つのコイルを含むステータの少なくとも一部に、上記ロータの軸と垂直な平面においてロータに対してその位置を調整できるように、コイルを移動させる手段が取り付けられ、ロータが回転する時に上記１つのコイルまたは上記複数コイルの少なくとも１つのコイルの端子間に誘導される電圧の振幅を調整できることを特徴とする。
【００１６】
１つあるいは複数のコイルを支持する基板は、単一片またはいくつかの片のいずれででも形成することができ、また縦長または円弧状であって調整ガイドとして機能する長穴を設けることができる。
偏心当て具は１つのコイルまたは複数のコイルに生じる電圧調整を行い、また発電機が分解されるときにコイルの配置を記憶することができるという利点がある。
【００１７】
【発明の実施の形態】
本発明の他の利点は、添付の概略図を参照してなされる限定的な意味ではない実施形態例の下記記述によって理解され明らかになるだろう。
その構造は従来技術で考察した、時計本体４、磁石９、フランジ８、電気回路１０、ロータシャフト５およびステータコイル１１ａ,１１ｂ,１１ｃの要素を同一形態で再現している。
【００１８】
下記の２つの実施形態は、ステータが少なくとも部分的に、コイル１１ａ,１１ｂ,１１ｃによって供給される電圧の調整ができるように、ロータに対して移動可能であるという同じ概念に基づいている。双方の実施形態とも、基板６にコイルが取り付けられており、少なくとも１つのコイルを支持している基板６の少なくとも一部は、時計本体４内で回転可能に支持されているロータに対して移動可能である。
【００１９】
コイル１１ａ,１１ｂおよび／または１１ｃのうちの少なくとも１つの相対的な位置が修正されると、これらのコイルにより供給される誘導電圧の振幅が修正される。それぞれの例において、３つの平らな円筒コイルを有するステータが使用される。基板６は印刷回路を含み、電気制御回路１０を支持する。
【００２０】
図３と図４に示されている第１の実施形態は３つのコイル１１ａ,１１ｂおよび１１ｃを支持する単体基板６を含む。
２つの縦長の直線状の穴１３が基板６に設けられる。穴１３の長手方向の軸線は平行である。２つのねじ１２が穴１３を通り、時計本体４のねじ部にねじ込まれる。ステータの位置調整は、本体４と本体４の凹部２６に配置された基板６間での相対的な動きができるように、ねじ１２の締め付けを十分に緩めて行うことが可能である。
【００２１】
変形形態においては、長手方向軸線に対して垂直な方向に沿って基板６の位置を僅かに調整できるように、穴１３のレベルでねじ１２の直径よりも大きい幅を持つ穴１３を設けることが予見される。
【００２２】
ねじ１５で形成されている偏心軸の周りを回転するように取付けられ、基板に押し付けられている円筒ローラ１４が、誘導された電圧の調整を制御し、かつその調整位置を記憶できるようにしている。本装置は電圧をオペレターが再調整する必要がないので、あらゆるメンテナンス作業に要求される分解作業の際のシステム組み立てを容易にする。
【００２３】
好ましい変形形態においては、ローラ１４はねじ１５に固定されている。ねじ１５は、好ましくは長穴１３の長手方向軸線と直角方向で基板６の側面とローラ１４と間で接触できるように、本体４に埋め込まれている。従って、ねじ１５の回転はローラ１４を駆動させ、ねじ１５と基板６の間の距離が変化する。
【００２４】
結果として、この当て具は、ステータの位置をねじ１５を回転させることによって簡単に調整でき、動作位置は、ねじ１５の新たな操作がないので変更されないまま記憶される。
【００２５】
図５から図７に示されている第２の実施形態は２つのプレート６１と６２で形成された基板６を含み、そのうちの一つがコイル１１ａを支持し、もう一方がコイル１１ｂと１１ｃを支持する。この実施形態では、その調整は単にプレート６１を軸の周りに回転させることによって行われる。プレート６２は本体４に対して固定されたままである。
【００２６】
縦長の湾曲した穴２３はプレート６１に形成され、穴２３による円弧はねじ１２ａの軸に中心合わせされている。ねじ１２ａにプレート６１を固定するために使用されるねじ２２は穴２３内に配置される。
【００２７】
ねじ１２ａと１２ｂによって固定されているブリッジ３０は、一方がプレート６１上にあり他方がプレート６２上に設けられる２つの電気的ストリップ（図示せず）間の電気的接続を確立するのに使用される。ブリッジ３０上のそれぞれのストリップ３１と３２は、ねじの通路となる穴３３と３４の周りに沿った円弧の形状の端部を持つ。その結果、接続はプレート６１の位置が調整されプレート６１が回転する時に確実に行われる。
【００２８】
プレート６２は２つのねじ１２と１２ｂで時計ムーブメントの本体４に固定される。ステータ位置の調整は、プレート６１とコイル１１ａで形成される移動可能な半ステータのねじ１２と１２ｂの締付けを、半ステータを回転させることができるように十分に緩めて行うことができるできる。次いで、半ステータはねじ１２ａの周りに回転させられる。いったん調整されれば、ステータを本体４に固定するためにはねじ１２と１２ａを締付ける必要があるのみである。
【００２９】
第１の実施形態のように、ねじ１５による偏心軸の周りに回転可能に取付けられ、基板６１を押圧する円筒ローラ１４が設けられる。この当て具は、移動可能な半ステータの位置をねじ１５を回転させることによって簡単に調整することができる。
【００３０】
第２の実施形態の変形形態においては、ステータ全体を円弧に沿って動かすようにすることができる。必要であれば、いくつかの縦長の湾曲した穴を設けることができる。
本発明は上記の実施形態に限定されるものではなく、特に均等の手段を用いる他の実施形態も考えられる。
【図面の簡単な説明】
【図１】従来技術による発電機の部分的に組立てられた時計ムーブメントの平面図である。
【図２】図１の時計ムーブメントの横断面図である。
【図３】単体の基板に固定された３つのコイルを含む、本発明による発電機を備えた時計ムーブメントの第１の実施形態の平面図である。
【図４】図３の時計ムーブメントの横断面図である。
【図５】コイルを支持するその一部が時計本体に対して旋回する調整部を持つ２つの部分からなる基板で形成される組立体を含む第２のの実施形態の平面図である。
【図６】図５の組立体の横断面図である。
【図７】第２の実施形態のブリッジ上の２つの基板部分の間の電気的接続配置を示す図である。
【符号の説明】
４  時計本体
５  ロータシャフト
６  基板
８  フランジ
９  磁石
１１ａ，１１ｂ，１１ｃ  コイル
１２  ねじ
１３  穴
１４  円筒ローラ
１５  ねじ
【図１】
0004444487.tif 000002
【図２】
0004444487.tif 000003
【図３】
0004444487.tif 000004
【図４】
0004444487.tif 000005
【図５】
0004444487.tif 000006
【図６】
0004444487.tif 000007
【図７】
0004444487.tif 000008